(57)【要約】【課題】吸引された飲料を口中全体に噴出させることにより、使用者に、口中全体で飲料を味わいながら、くすぐったい、シュワッとする楽しい感覚を与えることができるストローを提供する。【解決手段】飲料を吸引するためのストロー１１０であって、吸引された飲料が通る吸引路１１４が形成されたストロー本体１１２；ストロー本体１１２の周壁の上端部の吸引部位に、吸引路１１４に連通するように切断によって形成され、吸引された飲料を側方に噴出するための複数の噴出孔１１６ａ、１１６ｂ；および、複数の噴出孔１１６ａ、１１６ｂを形成するときに、各噴出孔１１６ａ、１１６ｂの縁部から吸引路１１４の内側へ折れ曲がるように形成され、吸引された飲料を噴出孔１１６ａ、１１６ｂ側へ案内する案内片１１８ａ、１１８ｂを含む。【選択図】  図１
2004275714.tif 000002
【特許請求の範囲】
【請求項１】
飲料を吸引するためのストローであって、
吸引された飲料が通る吸引路が形成されたストロー本体；
当該ストロー本体の周壁の上端部の吸引部位に、前記吸引路に連通するように切断によって形成され、吸引された飲料を側方に噴出するための複数の噴出孔；および、
当該複数の噴出孔を形成するときに、各噴出孔の縁部から前記吸引路の内側へ折れ曲がるように形成され、吸引された飲料を前記噴出孔側へ案内する案内片を含むことを特徴とするストロー。
【請求項２】
前記複数の噴出孔の形状は、三角形、台形、半円形および長方形を含む複数の種類の形状の１つであることを特徴とする請求項１に記載のストロー。
【請求項３】
前記ストロー本体に、蛇腹部がさらに設けられていることを特徴とする請求項１に記載のストロー。
【請求項４】
飲料を吸引するためのストローであって、
吸引された飲料が通る吸引路が形成されるとともに、上端部に閉鎖端部を有するストロー本体；および、
前記閉鎖端部に隣接し、前記ストロー本体の周壁の上端部の吸引部位に前記吸引路に連通するように形成され、吸引された飲料を側方に噴出するための複数の噴出孔を含むことを特徴とするストロー。
【請求項５】
前記複数の噴出孔は、前記ストロー本体の長さ方向に延び、周方向に間隔を隔てて形成されたスリット状の長孔であることを特徴とする請求項４に記載のストロー。
【請求項６】
前記閉鎖端部に、前記噴出孔の幅以下の小孔が形成されていることを特徴とする請求項４または５のいずれかに記載のストロー。
【請求項７】
飲料を吸引するためのストローであって、
吸引された飲料が通る吸引路が形成されるとともに、上端部に閉鎖端部を有するストロー本体；
前記閉鎖端部に隣接し、前記ストロー本体の周壁の上端部の吸引部位に形成された蛇腹；および、
当該蛇腹に前記吸引路に連通するように形成され、吸引された飲料を側方に噴出するための複数の噴出孔を含むことを特徴とするストロー。
【請求項８】
前記閉鎖端部に、前記噴出孔の幅以下の小孔が形成されていることを特徴とする請求項７に記載のストロー。
【発明の詳細な説明】
【０００１】
【発明の属する技術分野】
本発明は、飲料の吸引に使用するストローに関し、特にストロー本体の周壁の吸引部位に飲料を噴出するための複数の噴出孔を設けたストローに関する。
【０００２】
【従来の技術】
一般に、飲料を吸引するために使用するストローには、そのストロー本体の内部に、これに沿って延びる単一の大径の吸引路が形成されており、この吸引路を介して飲料が吸引される。このような従来のストローとして、例えば特許文献１に開示されたものが知られている。
【０００３】
しかし、このような従来のストローでは、飲料が単一の大径の吸引路を介して吸引されるので、吸引した際に、飲料が、ストローの吸引路から口の中の喉に向かってほぼまっすぐに噴出（直線噴出）される。このため、直線噴出された飲料によって、喉が瞬間的に詰まり、むせてしまい、最悪の場合には、吸引した飲料を外に吐き出すことになってしまう。このような不具合は、特に子供の場合に多く発生する。また、このストローでは、飲料が直線噴出されるだけなので、使用者は、飲料を吸引するときに、「飲む」感覚以外の特別な楽しい感覚を何ら得ることができない。
【０００４】
【特許文献１】
登録実用新案第３０６９６４６号公報（図３）
【０００５】
【発明が解決しようとする課題】
本発明は、このような従来の課題を解決するためになされたものであり、吸引された飲料を口中全体に噴出させることにより、使用者に、口中全体で飲料を味わいながら、くすぐったい、シュワッとする楽しい感覚を与えることができるストローを提供することを目的とする。
【０００６】
【課題を解決するための手段】
この目的を達成するために、本願の請求項１の発明は、飲料を吸引するためのストローであって、吸引された飲料が通る吸引路が形成されたストロー本体；ストロー本体の周壁の上端部の吸引部位に、吸引路に連通するように切断によって形成され、吸引された飲料を側方に噴出するための複数の噴出孔；および、複数の噴出孔を形成するときに、各噴出孔の縁部から吸引路の内側へ折れ曲がるように形成され、吸引された飲料を噴出孔側へ案内する案内片を含むことを特徴とする。
【０００７】
この場合、複数の噴出孔の形状は、三角形、台形、半円形および長方形を含む複数の種類の形状の１つであることが好ましい。
【０００８】
また、ストロー本体に、蛇腹部がさらに設けられていることが好ましい。
【０００９】
さらに、上記目的を達成するために、本願の請求項４の発明は、飲料を吸引するためのストローであって、吸引された飲料が通る吸引路が形成されるとともに、上端部に閉鎖端部を有するストロー本体；および、閉鎖端部に隣接し、ストロー本体の周壁の上端部の吸引部位に吸引路に連通するように形成され、吸引された飲料を側方に噴出するための複数の噴出孔を含むことを特徴とする。
【００１０】
この場合、複数の噴出孔は、ストロー本体の長さ方向に延び、周方向に間隔を隔てて形成されたスリット状の長孔であることが好ましい。
【００１１】
また、閉鎖端部に、噴出孔の幅以下の小孔が形成されていることが好ましい。
【００１２】
また、上記目的を達成するために、本願の請求項７の発明は、飲料を吸引するためのストローであって、吸引された飲料が通る吸引路が形成されるとともに、上端部に閉鎖端部を有するストロー本体；閉鎖端部に隣接し、ストロー本体の周壁の上端部の吸引部位に形成された蛇腹；および、蛇腹に吸引路に連通するように形成され、吸引された飲料を側方に噴出するための複数の噴出孔を含むことを特徴とする。
【００１３】
この場合、閉鎖端部に、噴出孔の幅以下の小孔が形成されていることが好ましい。
【００１４】
【発明の実施の形態】
以下、図面を参照しながら、本発明の好ましい実施例を詳細に説明する。
【００１５】
図１は、本発明に係るストローの第１実施例を示す斜視図であり、図２は、図１のＩ−Ｉ線に沿う拡大縦断面図であり、図３は、図２のＩＩ−ＩＩ線に沿う拡大横断面図であり、図４は、図２のＩＩＩ−ＩＩＩ線に沿う拡大横断面図である。
【００１６】
これらの図に示すように、本実施例に係るストロー１１０は、吸引路１１４が形成された中空管状のストロー本体１１２を備えている。
【００１７】
このストロー本体１１２の周壁には、使用者が口に含む上端部の吸引部位（以下、単に「吸引部位」という）に、吸引路１１４に連通するほぼ三角形状の２つの噴出孔１１６ａ、１１６ｂが、径方向に対向するように形成されている。噴出孔１１６ａ、１１６ｂは、ストロー１１０の成形後に行われる一般的な加圧・切断工程時に形成される。
【００１８】
噴出孔１１６ａ、１１６ｂにはそれぞれ、案内片１１８ａ、１１８ｂが設けられている。これらの案内片１１８ａ、１１８ｂは、噴出孔１１６ａ、１１６ｂを形成する際に、その上縁部を切り残すことによって形成されており、図２に示すように、噴出孔１１６ａ、１１６ｂの上縁部から吸引路１１４の内側へ折れ曲がり、吸引路１１４の一部（約１／２の面積）を遮断している。すなわち、案内片１１８ａ、１１８ｂは、吸引路１１４を通過する飲料の一部を遮断する抵抗体として作用し、吸引路１１４を介して吸引された飲料の一部が、噴出孔１１６ａ、１１６ｂを通って噴出されるようにする。
【００１９】
つまり、ストロー１１０において、噴出孔１１６ａ、１１６ｂが形成されている吸引部位に口をつけ、飲料を吸引すると、飲料は吸引路１１４に沿って上方に流れる。そして、ストロー１１０の上端部において、案内片１１８ａ、１１８ｂに当たった一部の飲料は、それらから抵抗を受けることで向きを変え、案内片１１８ａ、１１８ｂに沿って噴出孔１１６ａ、１１６ｂ側へそれぞれ案内されることによって、図２に矢印Ａで示すように、噴出孔１１６ａ、１１６ｂから側方に噴出される。
【００２０】
一方、案内片１１８ａ、１１８ｂに当たらなかった一部の飲料は、これらを通り抜け、図２に矢印Ｂで示すように、上端の開口から噴出される。
【００２１】
このように噴出された飲料は、使用者の口中全体に広がる。また、噴出孔１１６ａ、１１６ｂを通って噴出される飲料が口の中に入った瞬間、使用者は、細い水柱となって口中全体に広がる飲料の味を口中全体で味わい、くすぐったい、シュワッとする感覚を楽しみながら、さらに新鮮な味を感じることができる。このような新鮮な飲用感は、既存のストローではまったく得られないものである。また、このような飲用感が得られることは、本発明のストローを複数の人々に対して実施したテストの結果から、実際に確認されている。
【００２２】
噴出孔１１６ａ、１１６ｂの大きさは、飲料の噴出に抵抗を与えない適度な大きさとすることが好ましい。また、噴出孔１１６ａ、１１６ｂの個数は、図示の例では２つであるが、ストロー１１０の強度を損なわない範囲内で、３つまたは４つあるいはそれ以上としてもよい。
【００２３】
また、図示の例では、ストロー本体１１２に蛇腹１１７が設けられているが、本実施例を蛇腹１１７のないストローにも適用できるということは、もちろんである。
【００２４】
図５ないし図７は、図１の噴出孔１１６ａ、１１６ｂの形状の変形例をそれぞれ示すストローの正面図である。
【００２５】
図５の噴出孔１１６ｃは台形状を、図６の噴出孔１１６ｄは半円形状を、図７の噴出孔１１６ｅは長方形状を、それぞれ有している。他の適当な形状を採用することももちろん可能である。その他の構成と作用は、前記実施例と同一である。
【００２６】
図８は、本発明に係るストローの第２実施例を示す斜視図であり、図９は、図８の線ＩＶ−ＩＶに沿う拡大縦断面図である。
【００２７】
同図に示すように、本実施例のストロー２１０は、吸引路２１４が形成された中空管状のストロー本体２１２を備えている。ストロー本体２１２の上端部は、扁平な状態で閉鎖されており、閉鎖端部２１８になっている。
【００２８】
また、ストロー本体２１２の吸引部位には、閉鎖端部２１８に隣接して、吸引路２１４に連通する複数の噴出孔２１６が形成されている。これらの噴出孔２１６は、上下方向に延びるスリット状のものであり、図示の例では４個形成され、周方向に一定の間隔をおいて配置されている。本実施例の噴出孔２１６もまた、前述した第１実施例の噴出孔と同様、使用者がストロー２１０の閉鎖端部２１８を含む吸引部位を口に含んで吸引したときに、吸引路２１４を通って吸引される飲料が、複数の噴出孔２１６を通過する瞬間に噴水のように噴出されるようにするために設けられている。
【００２９】
ストロー２１０の上端部が閉鎖端部２１８で閉鎖されていて、吸引部位側の開放部分はスリット状の噴出孔２１６だけであるので、使用者の吸引力は、吸引路２１４から噴出孔２１６側へだけ作用し、吸引された飲料は、噴出孔２１６から噴出される。
【００３０】
また、噴出孔２１６がストロー本体２１２の周方向に一定の間隔をおいて配置されているので、吸引された飲料は、噴出孔２１６を通過する瞬間、図９に矢印で示すように、噴水のように細短く噴出されながら、使用者の口中全体に広がる。
噴出孔２１６から細い水柱となって噴出された飲料が使用者の口の中に届く瞬間、前記第１実施例と同様に、口中全体で飲料の味を味わいながら、細い水柱によって、くすぐったくなり、シュワッとする感覚を楽しむことができる。
【００３１】
このような理由から、噴出孔２１６の幅はできるだけ小さい方が好ましい。このため、噴出孔２１６は、前述したように、ストロー本体２１２の長さ方向に沿って細長く形成されたスリット構造になっており、ストロー本体２１２の周方向に沿って一定の間隔をおいて形成されている。また、スリット状の噴出孔２１６の長さは、使用者の口の中に入れやすい適度な長さであることが好ましい。
【００３２】
また、噴出孔２１６の個数は２つ以上であればいくつでもよいが、ストロー本体２１２の強度も考慮して決定することが好ましい。また、噴出孔２１６が吸引部位に位置する限り、形状の制限はない。
【００３３】
図９に示すように、閉鎖端部２１８の両端部に、スリット状の噴出孔２１６の幅以下の小孔２１９を設けることも可能である。このような構成により、ストロー２１０を用いて吸引したときに、閉鎖端部２１８側からも飲料が噴出されるようになり、使用者にまた一味違う感覚を与えることができる。
【００３４】
また、図示の例では、ストロー本体２１２に蛇腹２１７が設けられているが、本実施例を蛇腹２１７のないストローにも適用できるということは、もちろんである。
【００３５】
図１０は、本発明に係るストローの第３実施例を示す斜視図であり、図１１は、図１０のＶ−Ｖ線に沿う拡大縦断面図である。
【００３６】
本実施例に係るストロー３１０は、第２実施例と同様、中空管状のストロー本体３１２を備えており、その上端部に閉鎖端部３１８が形成されている。
【００３７】
この閉鎖端部３１８に隣接するストロー本体３１２の吸引部位には、蛇腹３１５が形成され、この蛇腹３１５に沿って所定の間隔ごとに、吸引路３１４に連通する多数の噴出孔３１６が形成されている。蛇腹３１５は、それによって形成される屈曲部分が、吸引路３１４を通って移動する飲料に対する抵抗体として作用し、噴出孔３１６からの飲料の噴出を容易にする。
【００３８】
ストロー３００は、前記第２実施例と同様、吸引路３１４が閉鎖端部３１８によって遮断されているので、吸引路３１４を介して吸引された飲料は、噴出孔３１６から側方に噴出して、使用者の口中全体に広がる。したがって、前記第１および第２実施例の場合と同じ感覚を得ることができる。
【００３９】
閉鎖端部３１８の両端には、第２実施例と同様に、噴出孔３１６の幅以下の小孔３１９が形成されている。
【００４０】
また、本実施例においても、図示の例では、ストロー本体３１２に蛇腹３１７が設けられているが、本実施例を蛇腹３１７のないストローにも適用できるということは、もちろんである。
【００４１】
【発明の効果】
以上説明したように、本発明によれば、ストロー本体に形成された噴出孔により、吸引路を介して吸引された飲料を口中全体に噴出させることにより、使用者に、口中全体で飲料を味わいながら、くすぐったい、シュワッとする楽しい感覚を与えることができるという効果がある。
【図面の簡単な説明】
【図１】本発明の係るストローの第１実施の形態を示す斜視図である。
【図２】図１のＩ−Ｉ線に沿う拡大縦断面図である。
【図３】図２のＩＩ−ＩＩ線に沿う拡大横断面図である。
【図４】図２のＩＩＩ−ＩＩＩ線に沿う拡大横断面図である。
【図５】図１のストローにおける噴出孔の変形例を示す正面図である。
【図６】図１のストローにおける噴出孔の変形例を示す正面図である。
【図７】図１のストローにおける噴出孔の変形例を示す正面図である。
【図８】本発明に係るストローの第２実施例を示す斜視図である。
【図９】図８のＩＶ−ＩＶ線に沿う拡大縦断面図である。
【図１０】本発明に係るストローの第３実施例を示す斜視図である。
【図１１】図１０のＶ−Ｖ線に沿う拡大縦断面図である。
【符号の説明】
１１０、２１０、３１０  ストロー
１１２、２１２、３１２  ストロー本体
１１４、２１４、３１４  吸引路
１１６ａ、１１６ｂ、２１６、３１６  噴出孔
１１７  蛇腹
１１８ａ、１１８ｂ  案内片
２１８、３１８  閉鎖端部
２１９、３１９  小孔
【図１】
2004275714.tif 000003
【図２】
2004275714.tif 000004
【図３】
2004275714.tif 000005
【図４】
2004275714.tif 000006
【図５】
2004275714.tif 000007
【図６】
2004275714.tif 000008
【図７】
2004275714.tif 000009
【図８】
2004275714.tif 000010
【図９】
2004275714.tif 000011
【図１０】
2004275714.tif 000012
【図１１】
2004275714.tif 000013
【手続補正書】
【提出日】平成15年8月6日(2003.8.6)
【手続補正１】
【補正対象書類名】明細書
【補正対象項目名】０００５
【補正方法】変更
【補正の内容】
【０００５】
【発明が解決しようとする課題】
本発明は、このような従来の課題を解決するためになされたものであり、吸引された飲料を口中全体に噴出させることにより、使用者に、口中全体で飲料を味わいながら、くすぐったい、シュワッとする楽しい感覚を与えることができるとともに、使用者が味をなお一層旨く感じることができるストローを提供することを目的とする。


【手続補正２】
【補正対象書類名】明細書
【補正対象項目名】００４１
【補正方法】変更
【補正の内容】
【００４１】
【発明の効果】
以上説明したように、本発明によれば、ストロー本体に形成された噴出孔により、吸引路を介して吸引された飲料を口中全体に噴出させることにより、使用者に、口中全体で飲料を味わいながら、くすぐったい、シュワッとする楽しい感覚を与えることができるとともに、使用者が味をなお一層旨く感じることができるという効果がある。